【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
用紙束に製本処理を行う後処理装置において、
前記用紙束の端部を、接着剤を用いて接着する接着手段と、
前記接着剤を加熱する加熱手段と、
前記接着手段によって表紙が接着された用紙束を冷却する冷却手段と、
前記冷却手段により冷却された前記用紙束を搬送する搬送手段と、
前記接着手段および前記冷却手段の実行状態を示す動作状態情報を記憶する記憶手段と、
前記後処理装置の電源ＯＮ時に前記記憶手段に記憶されている動作状態情報から前記用紙束の状態を判断する第１の判断手段と、
前記後処理装置が電源ＯＦＦされてから電源ＯＮされるまでの放置時間を判断する第２の判断手段と、
製本処理中に前記後処理装置が電源ＯＦＦされてから電源ＯＮされた際に、前記第１の判断手段により前記用紙束へ塗布された接着剤の冷却が完了していない状態にあると判断した場合、前記第２の判断手段により判断された放置時間に応じて、前記冷却手段による用紙束への冷却を行わせる時間を制御する制御手段とを備えることを特徴とする後処理装置。
【請求項２】
用紙束に製本処理を行う後処理装置において、
前記用紙束の端部を、接着剤を用いて接着する接着手段と、
前記接着剤を加熱する加熱手段と、
前記接着手段によって表紙が接着された用紙束を冷却する冷却手段と、
前記接着手段および前記冷却手段の実行状態を表す動作状態情報を記憶する記憶手段と、
前記後処理装置の電源ＯＮ時に前記記憶手段に記憶されている動作状態情報から前記用紙束の状態を判断する第１の判断手段と、
前記用紙束に塗布された接着剤の温度が前記冷却手段による冷却を行う必要のない状態まで冷めたかを判断する第２の判断手段と、
製本処理中に前記後処理装置が電源ＯＦＦされてから電源ＯＮされた際に、前記第１の判断手段により前記用紙束へ塗布された接着剤の冷却が完了していない状態にあると判断した場合、前記第２の判断手段により、前記用紙束に塗布された接着剤の温度が前記冷却手段による冷却を行う必要のない状態まで冷めていないと判断されたことに応じて、前記冷却手段による用紙束への冷却を行わせる制御手段とを備えることを特徴とする後処理装置。
【請求項３】
前記後処理装置が電源ＯＦＦされてから電源ＯＮされるまでの放置時間を求める放置時間算出手段と、
前記用紙束に塗布される前の接着剤の温度を測定する測定手段と、
電源ＯＮ時に前記測定手段により測定された前記接着剤の温度に基づいて、自然放熱により前記接着剤を冷ますために必要な冷却時間を求める冷却時間算出手段とを更に備え、
前記第２の判断手段は、前記放置時間算出手段により求めた放置時間と前記冷却時間算出手段により求めた冷却時間とを比較し、前記冷却時間が前記放置時間よりも短い場合に、前記用紙束に塗布された接着剤の温度が前記冷却手段による冷却を行う必要のない状態まで冷めていないと判断することを特徴とする請求項２記載の後処理装置。
【請求項４】
前記放置時間算出手段は、前記接着剤を塗布するための接着剤の目標温度と電源ＯＮ時に測定された前記接着剤の温度により電源ＯＦＦされてから電源ＯＮされるまでの放置時間を求めることを特徴とする請求項３記載の後処理装置。
【請求項５】
前記用紙束の厚さを測定する厚さ測定手段と、
前記測定された用紙束の厚さから前記接着剤が塗布された用紙束の冷却に必要な冷却時間を求めて残り冷却時間情報として記憶する冷却時間情報記憶手段と、
前記冷却手段による用紙束の冷却が開始されてから前記残り冷却時間情報を更新する冷却時間更新手段と、
前記接着剤が塗布された用紙束の冷却に必要な冷却時間と前記更新された残り冷却時間情報とを比較して前記電源ＯＦＦ前に用紙束が冷却された強制冷却時間を求める強制冷却時間算出手段と、
前記冷却手段による用紙束の冷却を行わなかった場合および冷却を行った場合の前記接着剤の温度と冷却時間との関係を示す温度データを記憶する温度データ記憶手段とを更に備え、
前記冷却時間算出手段は、前記電源ＯＦＦ前に用紙束が冷却された時間と前記温度データに基づいて、前記自然放熱により接着剤を冷ますために必要な冷却時間を求めることを特徴とする請求項３または４記載の後処理装置。
【請求項６】
前記制御手段は、前記第２の判断手段により前記用紙束に塗布された接着剤の温度が前記冷却手段による冷却を行う必要のない状態まで冷めたと判断されたときは、当該用紙束の断裁処理を行わせることを特徴とする請求項１乃至５のいずれか１項に記載の後処理装置。
【請求項７】
前記動作状態情報は、前記接着手段及び前記冷却手段の進行に伴って更新されることを特徴とする請求項１または２に記載の後処理装置。
【手続補正２】
【補正対象書類名】明細書
【補正対象項目名】発明の名称
【補正方法】変更
【補正の内容】
【発明の名称】後処理装置
【手続補正３】
【補正対象書類名】明細書
【補正対象項目名】０００１
【補正方法】変更
【補正の内容】
【０００１】
本発明は、後処理装置に関し、特に、デジタル複写機等で印刷された用紙束を受け取ってくるみ製本処理等を施す後処理装置に関する。
【手続補正４】
【補正対象書類名】明細書
【補正対象項目名】００１０
【補正方法】変更
【補正の内容】
【００１０】
本発明は、上記問題を解決すべく、用紙束の糊付け直後に電源がＯＦＦされた場合に、電源がＯＮされてから用紙束の排出完了までの動作時間を短縮することができる後処理装置を提供することを目的とする。
【手続補正５】
【補正対象書類名】明細書
【補正対象項目名】００１１
【補正方法】変更
【補正の内容】
【００１１】
上記目的を達成するために、請求項１記載の後処理装置は、用紙束に製本処理を行う後処理装置において、前記用紙束の端部を、接着剤を用いて接着する接着手段と、前記接着剤を加熱する加熱手段と、前記接着手段によって表紙が接着された用紙束を冷却する冷却手段と、前記冷却手段により冷却された前記用紙束を搬送する搬送手段と、前記接着手段および前記冷却手段の実行状態を示す動作状態情報を記憶する記憶手段と、前記後処理装置の電源ＯＮ時に前記記憶手段に記憶されている動作状態情報から前記用紙束の状態を判断する第１の判断手段と、前記後処理装置が電源ＯＦＦされてから電源ＯＮされるまでの放置時間を判断する第２の判断手段と、製本処理中に前記後処理装置が電源ＯＦＦされてから電源ＯＮされた際に、前記第１の判断手段により前記用紙束へ塗布された接着剤の冷却が完了していない状態にあると判断した場合、前記第２の判断手段により判断された放置時間に応じて、前記冷却手段による用紙束への冷却を行わせる時間を制御する制御手段とを備えることを特徴とする。
【手続補正６】
【補正対象書類名】明細書
【補正対象項目名】００１２
【補正方法】変更
【補正の内容】
【００１２】
上記目的を達成するために、請求項２記載の後処理装置は、用紙束に製本処理を行う後処理装置において、前記用紙束の端部を、接着剤を用いて接着する接着手段と、前記接着剤を加熱する加熱手段と、前記接着手段によって表紙が接着された用紙束を冷却する冷却手段と、前記接着手段および前記冷却手段の実行状態を表す動作状態情報を記憶する記憶手段と、前記後処理装置の電源ＯＮ時に前記記憶手段に記憶されている動作状態情報から前記用紙束の状態を判断する第１の判断手段と、前記用紙束に塗布された接着剤の温度が前記冷却手段による冷却を行う必要のない状態まで冷めたかを判断する第２の判断手段と、製本処理中に前記後処理装置が電源ＯＦＦされてから電源ＯＮされた際に、前記第１の判断手段により前記用紙束へ塗布された接着剤の冷却が完了していない状態にあると判断した場合、前記第２の判断手段により、前記用紙束に塗布された接着剤の温度が前記冷却手段による冷却を行う必要のない状態まで冷めていないと判断されたことに応じて、前記冷却手段による用紙束への冷却を行わせる制御手段とを備えることを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００８５
【補正方法】変更
【補正の内容】
【００８５】
一方、ＣＰＵ３０１は、グリッパー２６７で測定された用紙束の厚みから糊付け後の用紙束の冷却に必要な冷却時間を求める。そして、その冷却時間とＲＡＭ３０３に記憶されている残り冷却時間情報Ｔｃｏｏｌ（冷却時間情報）とを比較し、電源ＯＦＦ前にファン２７９で用紙束が強制冷却されていた強制冷却時間を求める（ステップＳ１６２５）（強制冷却時間算出手段）。そして、ステップＳ１６２５で得られた結果を図１４に示すグラフの実線部に当てはめて、ファン２７９による強制冷却から自然放熱に切り替えた後に用紙束の冷却に必要な冷却時間を求める（ステップＳ１６２６）（冷却時間算出手段）。
【手続補正９】
【補正対象書類名】図面
【補正対象項目名】図１８
【補正方法】変更
【補正の内容】
【図１８】
2010052212.tif 000001